(57)【特許請求の範囲】
【請求項１】
配線器具を取付けた取付枠を造営面の開口に取付け、取付枠及びその周部からの通気を防止する通気防止パッキンの表面側に通気防止パッキンを押さえて取付枠に取付けられるプレートボディが配され、プレートボディに通気防止パッキンが二層成形されて一体化され、通気防止パッキンに形成された開口部に配線器具を臨ませて取付枠の表面側に通気防止パッキンが配され、プレートボディの表面側に耐火カバーを配設し、耐火カバーに形成された係止爪を係入する孔が、プレートボディ及び通気防止パッキンに形成され、耐火カバーの表面側に化粧プレートを配設して成ることを特徴とする配線器具の通気防止構造。
【請求項２】
プレートボディと通気防止パッキンとが凹凸嵌合する離型防止手段を介して一体化されていることを特徴とする請求項１記載の配線器具の通気防止構造。
【発明の詳細な説明】
【０００１】
【発明の属する技術分野】
本発明は、配線器具の通気防止構造に関し、詳しくは、温度制御された室内空気が壁面のような造営面に取付けられる配線器具の取付け箇所から室外に漏洩したり、また、造営面の裏の外気が配線器具の周部をへて室内に流入するのを阻止し、温度制御の熱効率を高めようとする技術に係るものである。
【０００２】
【従来の技術】
従来、壁面のような造営面に配線器具を取付けた場合に、配線器具を取付けた周部から室内空気が漏洩し、また、外気が室内に侵入し、室温を温度制御する熱効率が低下するものである。
【０００３】
そこで、図１１に示す特公平３−３６９１２号公報のように、配線器具１を取付けた取付枠２を壁のような造営面に形成した開口に取付け、プレート枠５及び耐火カバー７を取付枠２にビスなどにて取付け、表面側から化粧プレート６を取付けて、耐火仕様のための耐火カバー７によって室内外の通気を防止することが考えられるが、通気防止機能が低く、熱効率を高め難いものとなっていた。
【０００４】
【発明が解決しようとする課題】
本発明はこのような問題に鑑みてなされたものであり、その目的とするところは、温度制御された室内空気が壁面のような造営面に設けられた配線器具から室外に漏洩したり、
また、壁裏の外気が配線器具の周部をへて室内に流入するのを阻止し、温度制御の熱効率を高めることができる配線器具の通気防止構造を提供しようとするにある。
【０００５】
【課題を解決するための手段】
請求項１の発明においては、配線器具１を取付けた取付枠２を造営面３の開口に取付け、取付枠２及びその周部からの通気を防止する通気防止パッキンＰの表面側に通気防止パッキンＰを押さえて取付枠２に取付けられるプレートボディ５が配され、プレートボディ５に通気防止パッキンＰが二層成形されて一体化され、通気防止パッキンＰに形成された開口部２２に配線器具１を臨ませて取付枠２の表面側に通気防止パッキンＰが配され、プレートボディ５の表面側に耐火カバー７を配設し、耐火カバー７に形成された係止爪８を係入する孔９、９ａが、プレートボディ５及び通気防止パッキンＰに形成され、耐火カバー７の表面側に化粧プレート６を配設して成ることを特徴とするものである。
【０００６】
請求項２の発明においては、請求項１の発明に加えて、プレートボディ５と通気防止パッキンＰとが凹凸嵌合する離型防止手段１１を介して一体化されていることを特徴とするものである。
【０００７】
請求項１の構成においては、取付枠２の表面に配線器具１を挿通して配設した通気防止パッキンＰによって、配線器具１の周部からの通気を防止することができ、温度調整された室内空気が壁面のような造営面３の裏に逃げたり、また、壁面のような造営面３の裏面から外気が室内に侵入するのを阻止することができ、温度調整をおこなうための熱効率を向上させる。しかも、耐火カバー７の係止爪８を通気防止パッキンＰの孔９ａに係止でき、耐火カバー７を使用しながら、耐火カバー７を使用する場合の通気を防止することができる。しかも、通気防止パッキンＰを使用しながら、通気防止パッキンＰはプレートボディ５に一体化されていて、通気防止パッキンＰの取扱いが容易になる。
【０００８】
請求項２の構成においては、請求項１の作用に加えて、通気防止パッキンＰとプレートボディ５との一体化を一層強固におこなうことができ、通気防止パッキンＰの剥離を一層防止することができる。
【０００９】
【発明の実施の形態】
（実施の形態１）
図１〜図６を参照して本発明の実施の形態１を説明する。
【００１０】
図１（ａ）は分解斜視図、同図（ｂ）は化粧プレート６の分解斜視図であり、図２は通気防止パッキンＰを示し、図３はプレートボディ５を示し、図４〜図６は組立て状態を示している。
【００１１】
金属製の取付枠２にはコンセントのような例えば２個モジュールの配線器具１が取付けられている。取付枠２がビス１６にて造営面３を構成する壁パネル１７に固定されている。取付枠２にはシリコンゴム製の通気防止パッキンＰを介して合成樹脂製の略ロ字型のプレートボディ５が取付けられ、プレートボディ５の表面側から化粧プレート６が取付けられ、化粧プレート６の窓孔１０に臨んで、配線器具１が造営面３に取付けられている。本発明における外装プレートＤは、上述した通気防止パッキンＰを押さえるプレートボディ５と、化粧プレート６とで構成されている。
【００１２】
取付枠２には、プレートボディ５を取付けるためのネジ孔１８、例えば、コンクリート製の壁面に対する取付け用孔１９、周知の挟み金具用の長孔及びＬ字形の取付孔２０が形成されている。また、化粧プレート６に形成した爪１２を係止する係止部２１が形成されている。
【００１３】
シリコンゴム製の通気防止パッキンＰには、開口部２２が形成され、この開口部２２に配線器具１が弾入されて気密性を維持して、配線器具１の周部の取付枠２を通気防止パッキンＰにて覆い、取付枠２を壁パネル１７に取付ける場合の室内と壁パネル１７内の通気を防止するようになっている。
【００１４】
通気防止パッキンＰには大きい角状の通孔１５，１５が形成され、また、小さい角状の挿通孔１３，１３が貫通されている。合成樹脂製のプレートボディ５は略ロ字状に形成され、通気防止パッキンＰの周部を押さえることができるようにしている。プレートボディ５にはビス挿通孔２３が形成され、挿通したビスのような固定具１４を通気防止パッキンＰの通孔１５に挿通して、取付枠２のネジ孔１８に螺入し、プレートボディ５を取付枠２に取付けるとともに通気防止パッキンＰを挟持して、充分な気密性を維持できるようにしている。また、化粧プレート６の爪１２が通気防止パッキンＰの挿通孔１３に挿通されて、取付枠２の係止部２１に係止し、化粧プレート６を取付枠２に取付けることができるようにしている。
【００１５】
しかして、取付枠２の表面に配線器具１を挿通して配設した通気防止パッキンＰによって、配線器具１の周部からの通気を防止することができ、温度調整された室内空気が壁面のような造営面３の裏に逃げたり、また、壁面のような造営面３の裏面からの外気が室内に侵入するのを阻止することができ、温度調整をおこなうための熱効率を向上させるのである。
【００１６】
更に、本実施の形態においては、プレートボディ５と化粧プレート６との間には、金属製の耐火カバー７が配設され、耐火仕様になされたものである。耐火カバー７には四隅に係止爪８…を折曲げて形成している。プレートボディ５及び通気防止パッキンＰには孔９…，９ａが形成されて、係止爪８…をプレートボディ５の貫通された孔９…に挿通し、通気防止パッキンＰの有底の孔９ａ…に係入し、耐火カバー７の正確な位置決めをおこなえるようにしている。
【００１７】
耐火カバー７には取付孔２４が形成され、固定具１４としてのビスを取付孔２４、プレートボディ５のビス挿通孔２３に挿通し、更に、通気防止パッキンＰの通孔１５に挿通し、取付枠２のネジ孔１８に螺合して、耐火カバー７を取付枠２に取付けるものである。
【００１８】
本実施の形態においては、図７に示すように、プレートボディ５に通気防止パッキンＰが二層成形されて一体化したものである。
【００１９】
しかして、通気防止パッキンＰを使用しながら、通気防止パッキンＰはプレートボディ５に一体化されていて、通気防止パッキンＰの取扱いが容易になるのである。
【００２０】
（実施の形態２）
図８は本発明の実施の形態２を示す断面図である。但し、本実施の形態の基本構成は実施の形態１と共通であり、共通する部分については説明は省略する。
【００２１】
本実施の形態においては、プレートボディ５と通気防止パッキンＰとを二層成形すると共に、凹凸嵌合する離型防止手段１１を介して一体化したものである。
【００２２】
しかして、通気防止パッキンＰとプレートボディ５との一体化を一層強固におこなうことができ、通気防止パッキンＰの剥離を一層防止することができるものである。
【００２３】
（実施の形態３）
図９は本発明の実施の形態３を示す斜視図である。但し、本実施の形態の基本構成は実施の形態１と共通であり、共通する部分については同一の符号を付して説明は省略する。
【００２４】
本実施の形態においては、通気防止パッキンＰに、１個モジュールの開口部２２を間隔を隔てて２個形成したものである。
【００２５】
（実施の形態４）
図１０は本発明の実施の形態４を示す斜視図である。但し、本実施の形態の基本構成は実施の形態１と共通であり、共通する部分については同一の符号を付して説明は省略する。
【００２６】
本実施の形態においては、通気防止パッキンＰに、１個モジュールの開口部２２を略中央に１個形成したものである。
【００２７】
尚、本発明の本実施の形態においては、上述のような周知な取付枠２を使用するが、取付け用孔１９，２０等がないものでもよい。
【００２８】
【発明の効果】
請求項１の発明においては、配線器具を取付けた取付枠を造営面の開口に取付け、取付枠及びその周部からの通気を防止する通気防止パッキンの表面側に通気防止パッキンを押さえて取付枠に取付けられるプレートボディが配され、プレートボディに通気防止パッキンが二層成形されて一体化され、通気防止パッキンに形成された開口部に配線器具を臨ませて取付枠の表面側に通気防止パッキンが配され、プレートボディの表面側に耐火カバーを配設し、耐火カバーに形成された係止爪を係入する孔が、プレートボディ及び通気防止パッキンに形成され、耐火カバーの表面側に化粧プレートを配設してあるから、取付枠の表面に配線器具を挿通して配設した通気防止パッキンによって、配線器具の周部からの通気を阻止することができ、温度調整された室内空気が壁面のような造営面の裏に逃げたり、また、壁面のような造営面の裏面からの外気が室内に侵入するのを阻止することができ、温度調整をおこなうための熱効率を向上させることできるという利点がある。しかも、耐火カバーの係止爪を通気防止パッキンの孔に係止でき、耐火カバーを使用しながら、耐火カバーを使用する場合の通気を防止することができるという利点がある。更に、通気防止パッキンはプレートボディに二層成形されて一体化されているから、通気防止パッキンを使用しながら、通気防止パッキンの取扱いが容易になるという利点がある。
【００２９】
請求項２の発明においては、プレートボディと通気防止パッキンとが凹凸嵌合する離型防止手段を介して一体化されているから、請求項１の効果に加えて、通気防止パッキンとプレートボディとの一体化を一層強固におこなうことができ、通気防止パッキンの剥離を一層防止することができるという利点がある。
【図面の簡単な説明】
【図１】本発明の実施の形態１を示し、（ａ）は分解斜視図、（ｂ）は化粧プレートの部分断面図である。
【図２】同上における通気防止パッキンを示し、（ａ）は正面図、（ｂ）は一部破断した側面図、（ｃ）は背面図、（ｄ）は一部破断した側面図、（ｅ）は部分拡大断面図である。
【図３】同上におけるプレートボディを示し、（ａ）は正面図、（ｂ）は一部破断した側面図、（ｃ）は背面図、（ｄ）は一部破断した側面図、（ｅ）は部分拡大断面図である。
【図４】同上における通気防止パッキンを取付けた状態の正面図である。
【図５】同上における（ａ）は通気防止パッキンを取付けた状態の縦断面図、（ｂ）は横断面図である。
【図６】同上における通気防止パッキンを取付けた状態の背面図である。
【図７】同上の拡大断面図である。
【図８】実施の形態２を示す拡大断面図である。
【図９】実施の形態３を示す通気防止パッキンの斜視図である。
【図１０】実施の形態４を示す通気防止パッキンの斜視図である。
【図１１】従来例の分解斜視図である。
【符号の説明】
１    配線器具
２    取付枠
３    造営面
５    プレートボディ
６    化粧プレート
７    耐火カバー
８    係止爪
９    孔
９ａ  孔
１１  離型防止手段
２２ 開口部
Ｐ 通気防止パッキン
【図１】
0003574885.tif 000002
【図２】
0003574885.tif 000003
【図３】
0003574885.tif 000004
【図４】
0003574885.tif 000005
【図５】
0003574885.tif 000006
【図６】
0003574885.tif 000007
【図７】
0003574885.tif 000008
【図８】
0003574885.tif 000009
【図９】
0003574885.tif 000010
【図１０】
0003574885.tif 000011
【図１１】
0003574885.tif 000012